(57)【要約】      （修正有）【課題】同軸ケーブル端部を挿入操作することで同軸ケーブルの抜脱を阻止するように構成された同軸ケーブル用コネクタのリリーサにおいて、同軸ケーブル装着後も取り外せるリリーサ、同軸ケーブル用コネクタ及び電子機器用箱体を提供する。【解決手段】リリーサ５は，同軸ケーブルの周囲を摺動するように形成された，筒状の摺動部５１を中心軸方向に半割りした外形で形成される第１の摺動部５１ａと第２の摺動部５１ｂと，その第１の摺動部と第２の摺動部を連結するために，前記摺動部の円周ラインから内側となる側面に形成されたヒンジ状連結部５３とから成り，同軸ケーブルに着脱自在に装着できるように構成され，該リリーサ５を同軸ケーブルに装着した状態で同軸ケーブル周囲を前方へ摺動させることで，前記摺動部の先端が同軸ケーブル用コネクタの抜け止め具における同軸ケーブルの咬持動作を解除するように構成した。【選択図】  図６
2007073367.tif 000002
【特許請求の範囲】
【請求項１】
同軸ケーブル端部を挿入操作することで同軸ケーブルの抜脱を阻止するように構成された同軸ケーブル用コネクタに備える，同軸ケーブルの抜脱阻止を解除するリリーサ構造において，
該リリーサは，同軸ケーブル周囲を摺動するように形成された，筒状の摺動部を中心軸方向に半割りした外形で形成される第１の摺動部と第２の摺動部と，その第１の摺動部と第２の摺動部を連結するために，前記摺動部の円周ラインから内側となる側面に形成されたヒンジ状連結部とから成り，同軸ケーブルに着脱自在に装着できるように構成したことを特徴としたリリーサ。
【請求項２】
前記摺動部には，該摺動部を操作するための操作部を備えたことを特徴とした請求項１に記載の同軸ケーブル用コネクタのリリーサ。
【請求項３】
同軸ケーブルを挿入して装着する筒状のコネクタ本体と，該コネクタ本体の前方に連結され，接続対象と接続するための接続手段と，前記コネクタ本体内に，装着する同軸ケーブルの内部絶縁体と外部導体との間に挿入されるスリーブ体と，挿入された同軸ケーブル周囲を咬持することによって同軸ケーブルの抜脱を阻止するために，コネクタ本体の中心軸へ向けて突設した複数の爪部を有した抜け止め具と，同軸ケーブル周囲を摺動するように形成され，抜け止め具による同軸ケーブルの咬持動作を解除する筒状のリリーサを備えた同軸ケーブル用コネクタにおいて，
前記リリーサは，請求項１若しくは請求項２の何れか一項に記載のリリーサであって，該リリーサを同軸ケーブルに装着した状態で同軸ケーブル周囲を前方へ摺動させることで，前記摺動部の先端が前記抜け止め具の爪部を前方へ押上げ，同軸ケーブルの咬持動作を解除するように構成したことを特徴とした同軸ケーブル用コネクタ。
【請求項４】
外部から同軸ケーブルを装着する同軸ケーブル用コネクタを有する電子機器筐体において，
同軸ケーブル用コネクタは，同軸ケーブルを挿入して装着する筒状のコネクタ本体と，該コネクタ本体の前方に連結され，接続対象と接続するための接続手段と，前記コネクタ本体内に，装着する同軸ケーブルの内部絶縁体と外部導体との間に挿入されるスリーブ体と，挿入された同軸ケーブル周囲を咬持することによって同軸ケーブルの抜脱を阻止するために，コネクタ本体の中心軸へ向けて突設した複数の爪部を有した抜け止め具と，同軸ケーブル周囲を摺動するように形成され，抜け止め具による同軸ケーブルの咬持動作を解除する筒状のリリーサとを有し，
前記リリーサは，請求項１若しくは請求項２の何れかに記載のリリーサであって，該リリーサを同軸ケーブルに装着した状態で同軸ケーブル周囲を前方へ摺動させることで，前記摺動部の先端が前記抜け止め具の爪部を前方へ押上げ，同軸ケーブルの咬持動作を解除するように構成したことを特徴とした電子機器筐体。
【発明の詳細な説明】
【技術分野】
【０００１】
本発明は，同軸ケーブル端部を挿入操作することで，前記同軸ケーブルの抜脱を阻止するように構成された同軸ケーブル用コネクタに好適なリリーサの構造に関する。またこのリリーサに対応する同軸ケーブル用コネクタ及び同軸ケーブル用コネクタを備えた電子機器用箱体に関する。
【背景技術】
【０００２】
従来から一般的に知られている，同軸ケーブル端部をコネクタ後方から挿入操作するだけで同軸ケーブルが装着されて，前記同軸ケーブルの抜脱を阻止するように構成された同軸ケーブル用コネクタは，同軸ケーブルを挿入して装着する筒状のコネクタ本体と，該コネクタ本体の前方に連結され，接続対象と接続するための接続手段と，前記コネクタ本体内に，装着する同軸ケーブルの内部絶縁体と外部導体との間に挿入されるスリーブ体と，同軸ケーブルの抜脱を阻止するため，コネクタ本体の中心軸へ向けて突設した複数の爪部とを有した抜け止め具と，抜け止め具による同軸ケーブルの抜脱阻止を解除するリリーサとからなり，同軸ケーブル端部を記前記コネクタ本体内へ後方から挿入操作することによって，前記爪部が前記同軸ケーブル周囲を咬持して同軸ケーブルの抜脱を阻止するように構成されている。このような，同軸ケーブルを簡単に接続できるコネクタでは，その操作性や取扱性が簡単で有るが故に，同軸ケーブルの装着ミスが生じた場合や，受信システムの変更に伴う配線の変更に対応できるように，同軸ケーブルの抜脱阻止を解除するリリーサが備えられており，このリリーサによる抜脱阻止は同軸ケーブル周囲を前方に摺動する事によって行われるように構成されている。
（例えば，特許文献１参照）
【０００３】
【特許文献１】特開２００４５−１３４１９２号公報
【発明の開示】
【発明が解決しようとする課題】
【０００４】
しかし，従来の同軸ケーブル用コネクタにおけるリリーサは，同軸ケーブル周囲を摺動可能なように中心に挿通孔を備えた筒状の摺動部を，金型等の成形手段によって作成したものであり，従来例の如く，予め同軸ケーブル用コネクタに備えさせた製品として出荷するか，リリーサを省いて，部品代や組付け費を削減して廉価な製品として出荷するかであった。
即ち，同軸ケーブルの装着ミスが生じた場合や，受信システムの変更に伴う配線の変更に対応できるように，予め同軸ケーブル用コネクタ全てにリリーサを備えさせれば，リリーサのコストが係るし，組付けの工賃が高くなるといった問題があった。
また，リリーサを備えさせない場合は，同軸ケーブルの装着ミスがあった場合や，配線の変更などに対応できないと言った問題が有った。
そこで本願においては，こうした問題点を解決するためになされたものであり，
その目的は，安価で，且つ簡単な構成で同軸ケーブルを取付けた後でも同軸ケーブルの抜脱をすることができるリリーサを提供する事にある。
他の目的は，簡単な操作で同軸ケーブルを取付けた後でも同軸ケーブルの抜脱をすることができるリリーサを提供する事にある。
他の目的は，安価で，且つ簡単な構成で同軸ケーブルを取付けた後でも同軸ケーブルの抜脱をすることができるリリーサに対応する同軸ケーブル用コネクタを提供する事にある。  
他の目的は，簡単な操作で同軸ケーブルを取付けた後でも同軸ケーブルの抜脱をすることができるリリーサに対応する同軸ケーブル用コネクタを提供する事にある。
他の目的は，安価で，且つ簡単な構成で同軸ケーブルを取付けた後でも同軸ケーブルの抜脱をすることができるリリーサに対応する同軸ケーブル用コネクタを備えた電子機器を提供する事にある。  
他の目的は，簡単な操作で同軸ケーブルを取付けた後でも同軸ケーブルの抜脱をすることができるリリーサに対応する同軸ケーブル用コネクタを備えた電子機器を提供する事にある。
他の目的は，ユーザの各種要求に対応できる同軸ケーブル用コネクタ及びそのコネクタを備えた電子機器を提供する事にある
【課題を解決するための手段】
【０００５】
上記課題を解決するために，請求項１の発明は同軸ケーブル端部を挿入操作することで同軸ケーブルの抜脱を阻止するように構成された同軸ケーブル用コネクタに備える，同軸ケーブルの抜脱阻止を解除するリリーサ構造において，
該リリーサは，同軸ケーブル周囲を摺動するように形成された，筒状の摺動部を中心軸方向に半割りした外形で形成される第１の摺動部と第２の摺動部と，その第１の摺動部と第２の摺動部を連結するために，前記摺動部の円周ラインから内側となる側面に形成されたヒンジ状連結部とから成り，同軸ケーブルに着脱自在に装着できるように構成される。
【０００６】
請求項２の発明は，請求項１に記載の同軸ケーブル用コネクタのリリーサ構造において，前記摺動部には，該摺動部を操作するための操作部を備えた。
【０００７】
請求項３の発明は，同軸ケーブルを挿入して装着する筒状のコネクタ本体と，該コネクタ本体の前方に連結され，接続対象と接続するための接続手段と，前記コネクタ本体内に，装着する同軸ケーブルの内部絶縁体と外部導体との間に挿入されるスリーブ体と，挿入された同軸ケーブル周囲を咬持することによって同軸ケーブルの抜脱を阻止するために，コネクタ本体の中心軸へ向けて突設した複数の爪部を有した抜け止め具と，同軸ケーブル周囲を摺動するように形成され，抜け止め具による同軸ケーブルの咬持動作を解除する筒状のリリーサを備えた同軸ケーブル用コネクタにおいて，
前記リリーサは，請求項１若しくは請求項２の何れか一項に記載のリリーサであって，該リリーサを同軸ケーブルに装着した状態で同軸ケーブル周囲を前方へ摺動させることで，前記摺動部の先端が前記抜け止め具の爪部を前方へ押上げ，同軸ケーブルの咬持動作を解除するように構成される。
【０００８】
請求項４の発明は，外部から同軸ケーブルを装着する同軸ケーブル用コネクタを有する電子機器筐体において，
同軸ケーブル用コネクタは，同軸ケーブルを挿入して装着する筒状のコネクタ本体と，該コネクタ本体の前方に連結され，接続対象と接続するための接続手段と，前記コネクタ本体内に，装着する同軸ケーブルの内部絶縁体と外部導体との間に挿入されるスリーブ体と，挿入された同軸ケーブル周囲を咬持することによって同軸ケーブルの抜脱を阻止するために，コネクタ本体の中心軸へ向けて突設した複数の爪部を有した抜け止め具と，同軸ケーブル周囲を摺動するように形成され，抜け止め具による同軸ケーブルの咬持動作を解除する筒状のリリーサとを有し，
前記リリーサは，請求項１若しくは請求項２の何れかに記載のリリーサであって，該リリーサを同軸ケーブルに装着した状態で同軸ケーブル周囲を前方へ摺動させることで，前記摺動部の先端が前記抜け止め具の爪部を前方へ押上げ，同軸ケーブルの咬持動作を解除するように構成される。
【発明の効果】
【０００９】
上記課題を解決するために，請求項１の発明は同軸ケーブル端部を挿入操作することで同軸ケーブルの抜脱を阻止するように構成された同軸ケーブル用コネクタに備える，同軸ケーブルの抜脱阻止を解除するリリーサ構造において，
該リリーサは，同軸ケーブル周囲を摺動するように形成された，筒状の摺動部を中心軸方向に半割りした外形で形成される第１の摺動部と第２の摺動部と，その第１の摺動部と第２の摺動部を連結するために，前記摺動部の円周ラインから内側となる側面に形成されたヒンジ状連結部とから成り，同軸ケーブルに着脱自在に装着できるように構成される。
これによって，組立作業はヒンジ状連結部を中心とした折り曲げ操作だけで良く，容易に組み立てることができる。
【００１０】
請求項２の発明は，請求項１に記載の同軸ケーブル用コネクタのリリーサ構造において，前記摺動部には，該摺動部を操作するための操作部を備えた。
これによって，組立作業はヒンジ状連結部を中心とした折り曲げ操作だけで良く，容易に組み立てることができるばかりでなく操作しやすいリリーサを提供できる。
【００１１】
請求項３の発明は，同軸ケーブルを挿入して装着する筒状のコネクタ本体と，該コネクタ本体の前方に連結され，接続対象と接続するための接続手段と，前記コネクタ本体内に，装着する同軸ケーブルの内部絶縁体と外部導体との間に挿入されるスリーブ体と，挿入された同軸ケーブル周囲を咬持することによって同軸ケーブルの抜脱を阻止するために，コネクタ本体の中心軸へ向けて突設した複数の爪部を有した抜け止め具と，同軸ケーブル周囲を摺動するように形成され，抜け止め具による同軸ケーブルの咬持動作を解除する筒状のリリーサを備えた同軸ケーブル用コネクタにおいて，
前記リリーサは，請求項１若しくは請求項２の何れか一項に記載のリリーサであって，該リリーサを同軸ケーブルに装着した状態で同軸ケーブル周囲を前方へ摺動させることで，前記摺動部の先端が前記抜け止め具の爪部を前方へ押上げ，同軸ケーブルの咬持動作を解除するように構成される。
これによって，同軸ケーブルを取付けた後でも簡単な操作で同軸ケーブルの抜脱をすることができる，安価で，且つ，簡単な構成で形成されたリリーサに対応する同軸ケーブル用コネクタを提供できる。
【００１２】
請求項４の発明は，外部から同軸ケーブルを装着する同軸ケーブル用コネクタを有する電子機器筐体において，
同軸ケーブル用コネクタは，同軸ケーブルを挿入して装着する筒状のコネクタ本体と，該コネクタ本体の前方に連結され，接続対象と接続するための接続手段と，前記コネクタ本体内に，装着する同軸ケーブルの内部絶縁体と外部導体との間に挿入されるスリーブ体と，挿入された同軸ケーブル周囲を咬持することによって同軸ケーブルの抜脱を阻止するために，コネクタ本体の中心軸へ向けて突設した複数の爪部を有した抜け止め具と，同軸ケーブル周囲を摺動するように形成され，抜け止め具による同軸ケーブルの咬持動作を解除する筒状のリリーサとを有し，
前記リリーサは，請求項１若しくは請求項２の何れかに記載のリリーサであって，該リリーサを同軸ケーブルに装着した状態で同軸ケーブル周囲を前方へ摺動させることで，前記摺動部の先端が前記抜け止め具の爪部を前方へ押上げ，同軸ケーブルの咬持動作を解除するように構成される。
これによって，同軸ケーブルを取付けた後でも簡単な操作で同軸ケーブルの抜脱をすることができる，安価で，且つ，簡単な構成で形成されたリリーサに対応する同軸ケーブル用コネクタを備えた電子機器挟体を提供できる。
【発明を実施するための最良の形態】
【００１３】
以下に，本発明を具体化した実施形態の例を，図面を基に詳細に説明する。
図１は本発明に係るリリーサを備えた同軸ケーブル用コネクタの第１の実施形態を示し，同軸ケーブルを挿入した状態の一部断面で示した同軸ケーブル用コネクタの側面図，及びＡ部拡大図である。図２は図１のスリーブ体の斜視図である。図３は図１の抜け止め具を示し，（ａ）は正面図，（ｂ）はＢ−Ｂ線端面図である。図４は図１の同軸ケーブル用コネクタにおいて，同軸ケーブル挿入前の側面図である。図５は図１の同軸ケーブル用コネクタにおいて，同軸ケーブル挿入途中の側面図である。図６は図１に示されるリリーサを展開したときの斜視図である。図７は図１及び図６に示されるリリーサを示し，（ａ）は左方向から見た斜視図，（ｂ）は右方向から見た斜視図である。図８（ａ）は図７（ａ）に示されるＣ−Ｃ線断面図，（ｂ）は図７（ｂ）に示されるＤ−Ｄ断面図である。
【実施例１】
【００１４】
以下，本発明を具体化した実施の形態を，図面に基づいて詳細に説明する。図１は本発明に係る同軸ケーブル用コネクタ（以下，単にコネクタと称する。）の第１の実施形態を示し，同軸ケーブル７に装着した状態のコネクタの要部を断面で示した説明図及びその一部拡大図を示している。
図１において，１は内部にケーブル装着手段を備え，同軸ケーブル（以下，単にケーブルと称する。）に外嵌する筒状のコネクタ本体，２はレセプタクル等の接続対象に接続する接続手段としてのナット体である。ケーブル装着手段は，装着したケーブルの抜けを防止する抜け止め具３，抜け止め具３を固定する固定具４，抜け止め具３の抜け止め作用を解除するリリーサ５，装着するケーブル７の内部絶縁体７ｂと外部導体７ｃの間に挿入するスリーブ体６とから成り，以下図示左方向を前方として説明する。尚，７ａはケーブルの中心導体，７ｄは保護被覆である。
【００１５】
コネクタ本体１は，後部にケーブル挿入口を有し，前面にナット体２を装着するための細径の筒状嵌合部８が突出形成され，筒状嵌合部８には装着するケーブル７の内部絶縁体７ｂ及び中心導体７ａを挿通する挿通孔８ａが形成されている。そして，ナット体２は，内部に雌ねじが切られ，後部にコネクタ本体１の筒状嵌合部８を挿入嵌合する連結孔２ａを有し，回転可能にコネクタ本体１前面にて連結されている。尚，筒状嵌合部８は，ナット体２と嵌合した後に先端部が拡径され，ナット体２が抜け落ちることはない。
【００１６】
図２は，スリーブ体６を後方から見た斜視図を示している。スリーブ体６は，図２に示すようにコネクタ本体１に連結するための環状連結部１０の背部に一体形成され，後方端部にかけて肉厚を徐々に薄く且つ先端を細く，円錐状に形成されている。但し，挿通孔６ａは同一径で形成されている。こうすることで，ケーブル７の内部絶縁体７ｂと外部導体７ｃの間に挿入し易くしている。
そして，スリーブ体６の側面に，環状連結部１０から後方端部に亘り回転阻止手段としての直線状の帯状突起１１が複数形成されている。この帯状突起１１は，スリーブ体６と同様に，環状連結部１０から先端に向けて徐々に低く形成されている。
【００１７】
尚，帯状突起１１は１つだけであっても良いし，スリーブ体６の基部から後方端部にかけて全体に形成せず，一部だけに設けても良い。また，帯状突起の変わりにローレット掛けをしてもよいなど，特に実施例に限定されるものではない。
また，スリーブ体６の挿通孔６ａとコネクタ本体１前面の筒状嵌合部８に形成された挿通孔８ａは，コネクタ中心軸Ｍ上に同一径で形成されているし，スリーブ体６はコネクタ本体１に一体形成することもできる。
【００１８】
抜け止め具３は，図３（ａ）の正面図に示すように，略円盤状に形成され，弾性を有する金属，例えばバネ用ステンレスで形成されている。
この抜け止め具３は，コネクタ本体１の中心軸と同一の中心軸を有するリング状の係止部３ｂと，該リング状の係止部３ｂに内側に係止部３ｂの中心線方向に向けて突設させた複数の爪部３ａとから成る。
爪部３ａの先端部の形状は本願の実施例においては台形形状をしているが，ケーブルの挿入を容易とするならば先端分を鋭角的に尖らせてもよいし，更にはケーブルの引き抜き方向の力に対する耐力をより強くするためには，爪部３ａが形成する内径が装着するケーブル７の外径より小さな径で形成され，その先端はケーブル７に線接触するように，内周がケーブルの径に合わせたアールを設けて形成してもよく，特に限定されるものではなく，ケーブルを保持するに要求される所定の保持力に対して最適な形状をなすようにすればよい。
【００１９】
更には，爪部３ａは，図３（ｂ）のＢ−Ｂ線端面図に示すように，コネクタ前方となるコネクタ本体１の内部方向に，折り曲げ角θを例えば約４５°として折り曲げ形成され，抜け止め具３全体は前方に窄み形成した略円錐形状としてもよい。
このように折り曲げることで，ケーブルの挿入操作の際爪部３ａは容易に拡径するので，挿入操作をスムーズに実施できる。また，このように形成した場合であっても挿入したケーブルに引っ張り応力が加わった場合，爪部３ａがケーブルに確実に食い込むので，抜け落ちることがない。
更に，抜け止め具３の係止部３ｂは，外周方向に所定の平面部が形成されると共に，この平面部３ｂが配設されるコネクタ本体１内部において，抜け止め具３の固定具４を構成する，固定スリーブ１４の段部１４ａと固定リング１５の端面とで係止部３ｂの前後方向への動きが制限されるように形成されているので，ケーブルに大きな応力が加わることによって，係止部３ｂが前方向にも後方向にも反り返ることがないので係止部３ｂが変形することがなく，抜け止め具３の爪部３ａの折り曲げ角θは維持され，良好に咬持動作する。
加えて，固定スリーブ１４の段部１４ａと固定リング１５の端面とで係止部３ｂを挟み込むときに，夫々が相互に密着するように固定スリーブと固定リングを固着することによって，抜け止め具の前後方向への動きが制限されるばかりでなく，抜け止め具の回転をも阻止されることに成り，同軸ケーブルに対する引っ張り力に対して強いばかりでなく，同軸ケーブルに加わる回転力に対しても信頼性の高い取付性を有する。
【００２０】
尚，抜け止め具３作製の際，打ち抜きにより作製し，その後爪部３ａを折り曲げることになるが，爪部３ａの打ち抜きは前方（図３（ｂ）の左側）から打ち抜くと良い。こうすることで，その反対側となる爪部３ａのケーブル７に接触する端部（図３（ｂ）左側の内周端部）が鋭角に形成され，ケーブル７を確実に咬持操作するよう作製できる。また図３では，爪部３ａが６つ形成されているが，切り欠きの幅を変更することで容易にその数を変更できる。
【００２１】
このように形成した抜け止め具３は，固定具４に固定してからコネクタ本体１へ組み付けられる。固定具４は，コネクタ本体１に係止する固定スリーブ１４と固定スリーブ１４に抜け止め具３を固定する固定リング１５から成り，固定スリーブ１４は内側面に抜け止め具３を係止する段部１４ａと，リリーサ挿入部１４ｂを有している。また，固定リング１５は抜け止め具３と同一径で形成されている。そして，固定具４への抜け止め具３の固定は，固定スリーブ１４前面から係止位置まで抜け止め具３を挿入すると共に固定リング１５を挿入し，固定スリーブ１４の先端開口部をプレス等で縮径する。こうして，固定リング１５の抜けは防止され，抜け止め具３は固定具４内に挟持固定される。
そして，抜け止め具３を固定した固定具４を，コネクタ本体１背部から圧入することで，抜け止め具３は，コネクタ本体１に組み付けられる。
【００２２】
リリーサ５は，ケーブル７周囲を摺動する略円筒形であり，図６によく示されるように，外形がその中心軸方向に半割した形状の第１の摺動部５１ａと第２の摺動部５１ｂとから成る摺動部５１が構成され，両者は連続形成された２ヶ所のヒンジ状連結部５３により連結され，一体に合成樹脂により形成されている。この摺動部５１の後部には，摺動部５１を操作するための鍔状の操作部５５が摺動部５１と一体に形成されている。このように，第１の摺動部５１ａと第２の摺動部５１ｂとがヒンジ状連結部５３を介して一体に形成されているので，組立作業はヒンジ状連結部５３を折り曲げて第１の摺動部５１ａと第２の摺動部５１ｂとを合わせる操作だけで良く，複数の部材を結合せる操作はないので，同軸ケーブルを取付ける前のコネクタに予めセットしておくこともできるし，同軸ケーブルが装着された後でも同軸ケーブル７周囲を摺動するように容易に装着することができるのである。
尚，合成樹脂の材質としては，比較的柔軟性を有し，ヒンジ状連結部を形成し易いポリエチレンやポリプロピレンが適している。
【００２３】
ケーブル７に装着した状態で摺動部５１は，その外径がリリーサ挿入部１４ｂの内径より僅かに小さくなるように形成されているので，摺動部５１はケーブル７周囲を摺動させながら固定スリーブ１４のリリーサ挿入孔１４ｂに挿入される。また，摺動部５１は固定スリーブ１４の背部から抜け止め具３に達する長さを有し，先端は図１のＡ部拡大図に示すように，抜け止め具３の爪部３ａに当接する係合部５ｄがテーパ面を設けて先端を鋭角にして形成されている。そして，摺動部５１外周には，固定スリーブ１４のリリーサ挿入部１４ｂに形成された係止突起１４ｃに係止する段部５ｃを形成してあると共に，摺動部５１はヒンジ状連結部５３が弾性を有することから，第１摺動部と第２摺動部が夫々外方向に向かって開こうとする力が働くことになり，この結果，リリーサ挿入部１４に挿入されたリリーサ５の段部５ｃは係止突起１４ｃと嵌合し，容易に落下してしまわないように仮止めされる。
また，操作部５５は，コネクタ本体１の後方に配置されていることから，操作部５５を操作して前方に押圧することで摺動部５１が摺動し，先端操作部５ｄが爪部３ａを前方へ押す。その結果，爪部３ａは拡径して，ケーブル７から爪部３ａが浮き上がる。こうして，抜け止め具３によるケーブル７咬持作用が解除，即ち抜脱阻止作用が解除される。
【００２４】
次に，上記コネクタの組立て及びケーブルへの装着手順を説明する。コネクタの組立ては，先ずコネクタ本体１にスリーブ体６を備えた環状連結部１０が後方から挿入され連結される。この時，環状連結部１０は圧入等により両者は固着一体化される。そして，筒状嵌合部８にナット体２を嵌合した後，嵌合部８を拡径させることで，ナット体２は回転自在にコネクタ本体１に連結される。
その後，上述するように固定スリーブ１４と固定リング１５で把持固定された抜け止め具３を，コネクタ本体１内に挿入して抜け止め具３を装着し，コネクタは完成する。このように完成したコネクタには，リリーサ５を予め固定スリーブ１４に装着した状態で有っても良いし，装着しなくてもよい。
尚，本発明の実施例では，接続手段２はコネクタ本体１に形成された筒状嵌合部８に枢着される構成を示したが，スリーブ体６の前方側に筒状嵌合部を設け，この筒状嵌合部に枢着するように構成してもよい。
【００２５】
ケーブル７の装着操作は次のように実施される。最初に挿入するケーブル７端部を加工する。具体的には図１（或いは，後述する図４）に示すように，中心導体７ａ及び内部絶縁体７ｂが所定の長さに露出されるよう内部絶縁体７ｂ及び保護被覆７ｄを切除し，外部導体７ｃを保護被覆７ｄ上に捲りあげる。後は，ケーブル７をコネクタ本体１に後方から挿入操作すれば良い。
図４はケーブル挿入前の状態，図５はケーブル挿入途中の状態を示す側面説明図であり，装着完了した状態は図１のようになる。ケーブル７の挿入は，保護被覆７ｄがコネクタ本体１の前面背部，正確には環状連結部１０に当接する所定位置まで行われる。こうすることで，スリーブ体６は内部絶縁体７ｂと外部導体７ｃの間に挿入され，外部導体７ｃとコネクタ本体１とはスリーブ体６を介して確実に電気的接続が成されるし，スリーブ体６周囲に形成された帯状突起１１の作用で，ケーブル７は回転応力が加わっても容易に回転することがなく，良好な接続状態を維持できる。
そして，爪部３ａは上述するように確実にケーブル７を咬持するよう作用する。更に，中心導体７ａの先端はナット体２先端位置まで突出し，ナット体２の中心軸（Ｍ）上にケーブル７の中心導体が配置され，接続手段の中心導体を得る。
【００２６】
尚，図４，図５において，７ｅはアルミ箔を示している。同軸ケーブルの外部導体は，網状の導体（上述する外部導体７ｃ）とその内側に設けられたアルミ箔７ｅから構成されているのが一般的であり，このようにアルミ箔７ｅを有する場合，ケーブル端部加工の際，アルミ箔７ｅは捲ること無く内部絶縁体７ｂに沿わせたままで，スリーブ体６はアルミ箔７ｅと網状の導体（上述する外部導体７ｃ）の間に挿入される。
【００２７】
このように，コネクタに装着した同軸ケーブルは，抜け止め具３の作用により引っ張り応力が加わっても抜けてしまうようなことがなく，堅牢な装着ができる。それでいて，リリーサ５を操作することで抜け止め具３による抜脱阻止作用を解除して容易に抜き取ることができるので，ケーブル交換等の作業を容易に実施できる。更に，同軸ケーブルの端部を所定の形状に処理してコネクタ本体に挿入すれば，コネクタ装着が完了してコネクタ部が完成するので，コネクタ装着も容易である。また，外したコネクタを再利用できるので無駄がない。
更に，本発明によるリリーサ５は，摺動部５１ａと５１ｂとがヒンジ状連結部５３を介して連結されて一体に形成されているので，組立作業はヒンジ状連結部５３を中心とした折り曲げ操作だけで良く，容易に組み立てることができる。また，このような構成であることにより，同軸ケーブル７をコネクタに装着した後であっても容易に同軸ケーブル周囲に摺動可能に装着できるので，配線の変更や，同軸ケーブルの装着ミスが有った場合でも，同軸ケーブルの抜脱阻止を解除できる。
更には，ケーブル装着後であってもリリーサの装着が可能に構成されていることから，予めコネクタにリリーサを仮止め状態にして出荷する形態をとっても良いし，付属品として個別に付属させて出荷しても良いし，廉価なバルク製品として出荷する場合は，別売で１個単位で購入できるようにする，など，一般ユーザが取扱う場合でも，業者が取扱う場合でも，各ユーザの各種要求に対応できる同軸ケーブル用コネクタや，分岐・分配器等に代表される同軸ケーブル用コネクタを備えた電子機器を提供できるのである。
尚，本発明は上記実施の形態に限定されるものではなく，本発明の趣旨を逸脱しない範囲で各部の構成を適宜に変更して実施することも可能である。
【図面の簡単な説明】
【００２８】
【図１】本発明に係る同軸ケーブル用コネクタの第１の実施形態を示し，同軸ケーブルを挿入した状態の一部断面で示した同軸ケーブル用コネクタの側面図，及びＡ部拡大図である。
【図２】図１のスリーブ体の斜視図である。
【図３】図１の抜け止め具を示し，（ａ）は正面図，（ｂ）はＢ−Ｂ線端面図である。
【図４】図１の同軸ケーブル用コネクタにおいて，同軸ケーブル挿入前の側面図である。
【図５】図１の同軸ケーブル用コネクタにおいて，同軸ケーブル挿入途中の側面図である。
【図６】図１に示されるリリーサを展開したときの斜視図である。
【図７】図１に示されるリリーサを示し，（ａ）は左方向から見た斜視図，（ｂ）は右方向から見た斜視図である。
【図８】（ａ）は図７（ａ）に示されるＣ−Ｃ線断面図，（ｂ）は図７（ｂ）に示されるＤ−Ｄ断面図である。
【符号の説明】
【００２９】
１…コネクタ本体，２…ナット体（接続手段），３…抜け止め具，３ａ…爪部，３ｂ…係止部，４…固定具，５…リリーサ，５ｄ…係合部，５ｃ…段部，６…スリーブ体，７…同軸ケーブル，１１…帯状突起，１４…固定スリーブ，１４ａ…段部，１４ｂ…リリーサ挿入部，１４ｃ…係止突起，１５…固定リング，５１…摺動部，５３…ヒンジ状連結部，５５…操作部。 
【図１】
2007073367.tif 000003
【図２】
2007073367.tif 000004
【図３】
2007073367.tif 000005
【図４】
2007073367.tif 000006
【図５】
2007073367.tif 000007
【図６】
2007073367.tif 000008
【図７】
2007073367.tif 000009
【図８】
2007073367.tif 000010